(57)【要約】【課題】本発明は記録メディアが挿入されたホルダを手動操作で初期位置に戻すことを課題とする。【解決手段】記録メディア駆動装置１０のホルダ駆動機構６０では、ピニオン９８に噛合するギヤ９５が、軸１０２の軸方向に摺動可能支持されている。エマージェンシー用工具１２０は、挿入方向（Ａ方向）に挿入される過程で傾斜部１２０ｈが減速ギヤ９５をコイルバネ１０４のバネ力に抗して左側方に摺動させてピニオン９８から離間させる。これにより、ピニオン９８及びラック１００を有するホルダ５６は、ホルダ駆動機構６０による規制が無くなり、フリーな状態に切り替わる。さらに、エマージェンシー用工具１２０の挿入操作によりラック１２０ｆがピニオン９８に噛合するため、ホルダ５６を排出方向へ移動させることが可能になる。【選択図】        図２３
2004348812.tif 000002
【特許請求の範囲】
【請求項１】
記録メディアが挿入される挿入口を有する前面パネルと、
該挿入口に挿入された前記記録メディアを収容するホルダと、
該ホルダを装着位置へ移動させるホルダ駆動モータと、
該ホルダ駆動モータの回転駆動力を前記ホルダに伝達する伝達機構と、
を備えた記録メディア駆動装置であって、
前記前面パネルの前記伝達機構に対向する位置に、前記ホルダ駆動モータが駆動できなくなった場合に使用されるエマージェンシー用工具の形状に対応した開口を設け、
前記開口から挿入された前記エマージェンシー用工具の挿入側端部に当接して前記伝達機構による伝達経路を分離させる伝達経路解除機構を設けたことを特徴とする記録メディア駆動装置。
【請求項２】
前記伝達経路解除機構は、前記伝達機構を構成する複数のギヤのうち一のギヤを軸方向に移動可能に設け、前記エマージェンシー用工具の挿入側端部に押圧されて前記ギヤが噛合解除位置へ移動することを特徴とする請求項１記載の記録メディア駆動装置。
【請求項３】
前記ホルダは、前記伝達機構により駆動されるラックを有し、
エマージェンシー用工具の挿入操作により前記ラックに噛合する前記伝達機構のホルダ駆動ギヤが回転されて排出方向に移動することを特徴とする請求項１記載の記録メディア駆動装置。
【請求項４】
前記ホルダは、前記エマージェンシー用工具の挿入操作により排出方向に移動し、前記エマージェンシー用工具の引き抜き操作に連動して装着方向に移動することを特徴とする請求項１記載の記録メディア駆動装置。
【請求項５】
前記請求項１記載の記録メディア駆動装置であって、
前記ホルダが初期位置にいないことを検出するホルダ検出手段と、
前記記録メディアが装着位置にあることを検出するメディア装着検出手段と、前記ホルダ検出手段により前記ホルダが初期位置にいないことが検出され、且つ前記メディア装着検出手段により前記記録メディアが検出されなかった場合、前記ホルダ駆動モータを回転駆動させて前記ホルダを初期位置に復帰させる制御手段と、
を備えたことを特徴とする記録メディア駆動装置。
【発明の詳細な説明】
【０００１】
【発明の属する技術分野】
本発明は記録メディア駆動装置に係り、特にイジェクト操作によりモータの駆動力をホルダに伝達し、ホルダに挿入された記録メディアを排出するように構成された記録メディア駆動装置に関する。
【０００２】
【従来の技術】
例えば、パーソナルコンピュータなどの電子機器に内蔵され、記録メディアを挿脱可能とする記録メディア駆動装置がある。
【０００３】
この種の記録メディア駆動装置では、各種データが記録された任意の記録メディアを交換可能な構成になっており、モータの駆動力で記録メディアが挿入されたホルダを移動させて記録メディアを装着位置に搬送するように構成されている。
【０００４】
また、装置内部に装着された記録メディアを交換する場合には、イジェクト操作によりホルダ駆動機構のモータを装着動作時の逆方向に回転駆動させてホルダを装着位置から排出方向に移動させ、交換可能な初期位置へ搬送するように構成されている。
【０００５】
この種の記録メディア駆動装置では、ホルダ駆動機構のモータが正常に回転駆動されない場合には、装着された記録メディアを取り出すことができなくなる。そのため、記録メディア駆動装置においては、電源回路のトラブル（例えば、停電、電池容量不足など）でホルダ駆動機構のモータが正常に回転駆動されない場合等の緊急事態に備えて手動操作によりホルダを排出方向へ移動させることが可能に構成されている。
【０００６】
例えば、ディスク移送体によって端部側が押圧されて弾発力が蓄積されるととも、この弾発力によってディスク移送体を外方に移動させるための排出レバーを有するものがある。この構成のものは、操作治具を挿入してロックレバーを回動操作することにより、筐体に対するディスク移送体のロックが解除され、排出レバーによりディスク移送体が筐体外方へ移動され、ディスク移送体に載置された記録メディアとしてのディスクの排出が行われるよう構成されている（例えば、特許文献１参照）。
【０００７】
【特許文献１】
特開平１１−１９１２５７号公報
【０００８】
【発明が解決しようとする課題】
上記のような手動式の排出機構を有する記録メディア駆動装置においては、手動操作治具により操作されるロックレバーと、ロックレバーの回動により回動される排出レバーと、操作歯車に設けられた係合操作片と、排出レバーを付勢するねじりコイルバネと、Ｌ字状レバーと、スライド操作レバーなどを有し、ロックレバーを回動操作してディスク移送体のロックを解除すると、このディスク移送体を筺体の外方へ排出する構成であり、部品点数が多く、設置スペースも大きいという問題があった。
【０００９】
そこで、本発明は上記課題を解決した記録メディア駆動装置を提供することを目的とする。
【００１０】
【課題を解決するための手段】
本発明は上記課題を解決するため、以下のような特徴を有する。
【００１１】
上記請求項１記載の発明は、前面パネルの伝達機構に対向する位置に、ホルダ駆動モータが駆動できなくなった場合に使用されるエマージェンシー用工具の形状に対応した開口を設け、開口から挿入されたエマージェンシー用工具の挿入側端部に当接して伝達機構による伝達経路を分離させる伝達経路解除機構を設けたものであり、装置内部に複数のレバーを配置する必要がなく、装置の小型化及び省スペース化にも対応しうる。
【００１２】
上記請求項２記載の発明は、伝達経路解除機構が、伝達機構を構成する複数のギヤのうち一のギヤを軸方向に移動可能に設け、エマージェンシー用工具の挿入側端部に押圧されてギヤが噛合解除位置へ移動するものであり、装置内部に複数のレバーを配置する必要がなく、装置の小型化及び省スペース化にも対応しうる。
【００１３】
上記請求項３記載の発明は、ホルダが伝達機構により駆動されるラックを有し、エマージェンシー用工具の挿入操作によりラックに噛合する伝達機構のホルダ駆動ギヤが回転されて排出方向に移動するものであり、装置内部に複数のレバーを配置する必要がなく、装置の小型化及び省スペース化にも対応しうる。
【００１４】
上記請求項４記載の発明は、ホルダは、エマージェンシー用工具の挿入操作により排出方向に移動し、エマージェンシー用工具の引き抜き操作に連動して装着方向に移動するものであり、比較的簡単な操作でホルダを手動で移動させることが可能になると共に、装置内部に複数のレバーを配置する必要がなく、装置の小型化及び省スペース化にも対応しうる。
【００１５】
上記請求項５記載の発明は、前記請求項１記載の記録メディア駆動装置であって、ホルダが初期位置にいないことを検出するホルダ検出手段と、記録メディアが装着位置にあることを検出するメディア装着検出手段と、ホルダ検出手段によりホルダが初期位置にいないことが検出され、且つメディア装着検出手段により記録メディアが検出されなかった場合、ホルダ駆動モータを回転駆動させてホルダを初期位置に復帰させる制御手段と、を備えたものであり、エマージェンシー用工具の引き抜き操作に連動して装着方向に移動したホルダを自動的に初期位置に戻すことができ、エマージェンシー用工具による記録メディアの取り出し操作が可能になる。そのため、装置内部に複数のレバーを配置する必要がなく、装置の小型化及び省スペース化にも対応しうる。
【００１６】
【発明の実施の形態】
以下、図面と共に本発明の一実施例について説明する。
図１は本発明になる記録メディア駆動装置の一実施例を示す図であり、（Ａ）は正面図、（Ｂ）は平面図、（Ｃ）は背面図、（Ｄ）は左側面図、（Ｅ）は右側面図である。
【００１７】
図１（Ａ）〜（Ｅ）に示されるように、記録メディア駆動装置１０は、箱状のシャーシ１２の上部にカバー１４が取り付けられており、シャーシ１２の前面には前面パネル１６が取り付けられている。また、シャーシ１２の後部には、後部パネル１８が取り付けられている。
【００１８】
カバー１４は、シャーシ１２の上面を覆う天板１４ａと、シャーシ１２の左右側面１２ｃ，１２ｄ（図６参照）を覆う側板１４ｂ，１４ｃとを有する。また、側板１４ｂ，１４ｃには、シャーシ１２の突起１２ａを嵌合係止する係止用孔１４ｄが２箇所ずつ設けられ、且つ右側の側板１４ｃには、リムーバブル検出用スイッチ１９（図１中、破線で示す）の切片に対向する開口１４ｅが設けられている。
【００１９】
前面パネル１６は、後述する記録メディアが挿入される挿入口２０と、イジェクト釦２２と、エマージェンシー用孔２４とが設けられている。また、挿入口２０は、内側に回動可能に設けられた蓋部材２６により開閉される。
【００２０】
後部パネル１８は、外部コネクタ（図示せず）が接続される入出力用コネクタ２８と、電源用プラグ３０と、ＵＳＢ（Ｕｎｉｖｅｒｓａｌ  Ｓｅｒｉａｌ  Ｂｕｓ）用コネクタ３２と、ロック用孔３４とが設けられている。
【００２１】
ここで、本実施例に適用される記録メディアの形状について説明する。本実施例では、記憶容量の異なるハードディスクが内蔵された２種類の記録メディアを考えている。
【００２２】
図２は２．５インチディスクの記録メディアの一例を示す図であり、（Ａ）は平面図、（Ｂ）は正面図、（Ｃ）は側面図である。
図２（Ａ）〜（Ｃ）に示されるように、第１の記録メディア３６は、樹脂製カートリッジ３８の内部に記録媒体としての磁気ディスク（図示せず）が収納されている。カートリッジ３８は、挿入側端部３６ａにコネクタ４０が設けられ、左右側面に挿入・イジェクト方向（Ａ，Ｂ方向）に延在するガイド溝４２と、クランプ用凹部４４を有する。
【００２３】
図３は１．８インチディスクの記録メディアの一例を示す図であり、（Ａ）は平面図、（Ｂ）は正面図、（Ｃ）は側面図である。
図３（Ａ）〜（Ｃ）に示されるように、第２の記録メディア４６は、樹脂製カートリッジ４８の内部に記録媒体としての磁気ディスク（図示せず）が収納されている。カートリッジ４８は、挿入側端部４６ａにコネクタ５０が設けられ、左右側面に挿入・イジェクト方向（Ａ，Ｂ方向）に延在するガイド溝５２と、クランプ用凹部５４を有する。
【００２４】
上記第１、２の記録メディア３６，４６は、挿入側端部３６ａ，４６ａに設けられたコネクタ４０，５０が共通であり、且つガイド溝４２，５２の高さ位置やクランプ用凹部４４，５４の形状及び位置も共通である。また、カートリッジ３６，４８は、横幅寸法が同一寸法であるが、奥行き寸法が異なっており、カートリッジ３６の奥行き寸法が大に形成されている。
【００２５】
図４はカバー１４を外した状態を示す平面図である。図５（Ａ）は前面パネル１６を内側からみた背面図、（Ｂ）は蓋部材２６の開閉動作を示す側面図である。図６は前面パネル１６を外したシャーシ１２の内部構造を示す縦断面図である。
図４及び図５（Ａ）（Ｂ）に示されるように、前面パネル１６の内側には、挿入口２０を開閉する蓋部材２６が回動自在に支持されている。蓋部材２６は、挿入口２０に対向するフラップ２６ａと、フラップ２６ａの上部両端より左右方向に突出する軸２６ｂ，２６ｃとを有する。そして、前面パネル１６の裏面には、軸２６ｂ，２６ｃを軸承する軸受け部１６ａ，１６ｂが設けられている。
【００２６】
軸２６ｂには、トーションバネ２７が巻装されており、トーションバネ２７のバネ力によりフラップ２６ａが閉方向に付勢されている。従って、記録メディア３６，４６は、挿入口２０に挿入されることにより、挿入側端部３６ａ，４６ａがフラップ２６ａを挿入方向（Ａ方向）に押圧してフラップ２６ａを開方向に回動させる。
【００２７】
その際、蓋部材２６は、トーションバネ２７のバネ力に抗して開方向に回動して記録メディア３６，４６の挿入経路から退避しており、挿入動作を妨げないように構成されている。そして、奥行き寸法の短い記録メディア４６も後部が通過すると共に、閉方向に回動して挿入口２０を閉塞して埃などが内部に進入することを防止する。また、奥行き寸法の長い記録メディア３６の場合には、排出側端部３６ｂが挿入口２０を閉塞した状態で装着完了になるため、蓋部材２６は、記録メディア３６の上面に当接する開位置に退避している。
【００２８】
図４に示されるように、シャーシ１２の底面１２ｂには、記録メディア３６，４６が挿入されるホルダ５６と、ホルダ５６の移動方向をガイドする一対のガイド部材５８，５９と、ホルダ５６を駆動するホルダ駆動機構６０と、蓋部材２６を開閉させる開閉機構６２と、記録メディア３６，４６のコネクタ４０，５０が接続されるメディア用コネクタ６４が搭載された基板６６とが設けられている。
【００２９】
また、基板６６には、上記メディア用コネクタ６４の他にリムーバブル検出用スイッチ１９、入出力用コネクタ２８、電源用プラグ３０、ＵＳＢ用コネクタ３２、ホルダ検出スイッチ（ホルダ検出手段に相当する）６８、装着検出スイッチ（メディア装着検出手段に相当する）７０、制御回路７２が搭載されている。尚、制御回路７２は、マイクロコンピュータによって構成しても良いし、あるいはアナログ回路によって構成しても良い。
【００３０】
ここで、ホルダ５６の構成について説明する。
図４及び図６に示されるように、ホルダ５６は、シャーシ１２の底面１２ｂ上に起立するガイド部材５８，５９により前面パネル１６の挿入口２０に対向する高さ位置で移動可能に支持されており、挿入口２０を通過した記録メディア３６または４６が挿入される。
【００３１】
ホルダ５６は、板金をコ字状に曲げ加工された２つの摺動部材７４，７５が一体的に結合されたものであり、外側に設けられた第１の摺動部材７４はガイド部材５８，５９の上端に横架されるように形成された天板７４ａと、ガイド部材５８，５９の外側面に摺動可能に対向する側板７４ｂ，７４ｃとを有する。
【００３２】
また、シャーシ１２の底面１２ｂより起立したブラケット１２ｅには、イジェクト釦２２に対向する高さ位置にイジェクトスイッチ７３が設けられている。このイジェクトスイッチ７３は、イジェクト釦２２が押圧操作された場合にオンに切り替わり、イジェクト信号を出力する。
【００３３】
ホルダ５６の天板７４ａには、記録メディア３６，４６を左右両側から挟持するクランプ機構７６，７７と、メディア挿入検出スイッチ７８とが設けられている。また、カバー１４の天板１４ａの下面には、エマージェンシー用工具の挿入をガイドするガイドレール７９が取り付けられている。
【００３４】
摺動部材７４の内側に取り付けられた第２の摺動部材７５は、天板７４ａの下面に密着する天板７５ａと、ガイド部材５８，５９の内側で下方に曲げられた側板７５ｂ，７５ｃとを有する。側板７５ｂ，７５ｃの内壁には、記録メディア３６，４６のガイド溝４２，５２に嵌合するガイド部７５ｄ，７５ｅと、記録メディア３６，４６の挿入側端部３６ａ，４６ａが当接する当接部（図示せず）が突出している。
【００３５】
また、ガイド部材５８，５９のガイド壁５８ａ，５９ａは、側板７４ｂ，７４ｃと側板７５ｂ，７５ｃとの間に形成された隙間に挿通されることでホルダ５６のＡ，Ｂ方向の摺動動作をガイドする。
【００３６】
ここで、クランプ機構７６，７７の構成について説明する。
クランプ機構７６，７７は、ホルダ５６に挿入される記録メディア３６，４６の挿入動作により記録メディア３６，４６の両側を押圧して挟持するように構成されており、天板７４ａに摺動可能に取り付けられたスライド部材８０，８１と、スライド部材８０，８１を外側（左右側方）へ付勢するトーションバネ８２，８３とから構成されている。
【００３７】
図７はホルダ５６の左側に配置されたスライド部材８０の構成を示す図であり、（Ａ）は正面図、（Ｂ）は平面図、（Ｃ）は背面図、（Ｄ）は側面図、（Ｅ）は底面図である。
図７（Ａ）〜（Ｅ）に示されるように、スライド部材８０は、コ字状に形成され天板７４ａを摺動する摺動部８０ａと、摺動部８０ａの摺動方向の両端より延在して天板７４ａに対して抜け防止される延出部８０ｂ，８０ｃと、トーションバネ８２の一端が掛止されるバネ掛止部８０ｄとを有する。また、摺動部８０ａの下面には、一対のガイドピン８０ｅ，８０ｆと、記録メディア３６，４６の挿入側端部３６ａ，４６ａに当接する当接部８０ｇと、一対のガイドピン８０ｅ，８０ｆの中間位置で台形状に形成された係合部８０ｈと、当接部８０ｇの反対側でメディア挿入検出スイッチ７８を押圧する押圧部８０ｉが突出している。
【００３８】
一対のガイドピン８０ｅ，８０ｆは、天板７４ａに形成された傾斜溝７４ｅ，７４ｆ（図４中破線で示す）に嵌合するため、当接部８０ｇが記録メディア３６，４６の挿入側端部３６ａ，４６ａにより挿入方向（Ａ方向）に押圧された場合、傾斜溝７４ｅ，７４ｆに沿って内側に移動する。これにより、スライド部材８０は、記録メディア３６，４６の側面に近接する方向に移動し、且つ係合部８０ｈがクランプ用凹部４４，５４に係合する。
【００３９】
また、スライド部材８０は、挿入方向（Ａ方向）に移動してスライド部材８０が記録メディア３６，４６を側方からクランプすると共に、押圧部８０ｉがメディア挿入検出スイッチ７８の切片に当接してオン状態に切り替える。
【００４０】
尚、スライド部材８１は、上記スライド部材８０と左右対称となる形状に形成されており、上記押圧部８０ｉが設けられていない点のみが異なるだけなので、その他の共通部分の説明を省略する。また、スライド部材８０，８１は、係合部８０ｈ，８１ｈがガイド部材５８，５９のガイド壁５８ａ，５９ａの内側に変位してクランプ用凹部４４，５４に嵌合することでガイド壁５８ａ，５９ａによる挿入方向への規制が解除されてＡ方向への摺動が可能になる。
【００４１】
従って、ホルダ５６に記録メディア３６，４６が挿入される過程でスライド部材８０，８１は、挿入方向に移動しながら互いに近接する方向に移動して係合部８０ｈを両側から記録メディア３６，４６のクランプ用凹部４４，５４に係合させ、これにより記録メディア３６，４６を両側から挟持する。
【００４２】
ここで、ホルダ駆動機構６０の構成について説明する。
図８はホルダ駆動機構６０を部分的に拡大して示す平面図である。図９はホルダ駆動機構６０を左側からみた側面図である。
【００４３】
図８及び図９に示されるように、ホルダ駆動機構６０は、シャーシ１２の後部左側に配置されたモータ８６と、モータ８６からの回転駆動力をホルダ５６に伝達する伝達機構８８とから構成されている。伝達機構８８は、モータ８６の回転軸に嵌合されたウォーム９０と、ウォーム９０に噛合するウォームホイール９１及び複数の減速ギヤ９２〜９５を有する減速ギヤ群９６と、減速ギヤ群９６の出力側に配置されたピニオン９８が噛合するラック１００とから構成されている。
【００４４】
ラック１００は、ホルダ５６の左側面に固定されており、Ａ，Ｂ方向に延在している。そのため、モータ８６の回転駆動力が伝達機構８８を介してピニオン９８に伝達されると、ラック１００と共にホルダ５６はＡ，Ｂ方向に移動する。
【００４５】
また、上記ピニオン９８に噛合するギヤ９５は、軸１０２の軸方向に摺動可能支持されており、且つ軸１０２に巻装されたコイルバネ１０４により噛合位置に付勢されている。このコイルバネ１０４に付勢されたギヤ９５は、噛合解除機構を構成しており、コイルバネ１０４のバネ力に抗して噛合解除位置に移動することができ、ピニオン９８との噛合関係を解除してピニオン９８をフリー状態に切り替えることが可能になる。
【００４６】
すなわち、メディア装着状態で電源回路のトラブル（例えば、停電、電池容量不足など）が発生してモータ８６を駆動できない場合でもギヤ９５を噛合解除位置にスライドさせることにより、ホルダ５６をメディア排出方向（Ｂ方向）に移動させることが可能になる。
【００４７】
ここで、蓋部材２６を開閉させる開閉機構６２の構成について説明する。
図１０は開閉機構６２を側方からみた側面図である。
【００４８】
図１０及び図８に示されるように、開閉機構６２は、ラック１００と一体に形成された垂直壁１００ａの端部に設けられた傾斜カム部１００ｂに押圧されるクランク部材１０６と、クランク部材１０６を回動可能に支持するブラケット１０８と、クランク部材１０６を時計方向に付勢するトーションバネ１１０と、クランク部材１０６の偏心ピン１０６ａに連結された開閉アーム１１２と、から構成されている。
【００４９】
開閉アーム１１２の端部は、蓋部材２６のフラップ２６ａの左側面に突出するピン２６ｄに回動可能に連結されている。上記クランク部材１０６は、垂直壁１００ａの移動経路に設けられており、垂直壁１００ａに押圧されるカム部１０６ｂを有する。このカム部１０６ｂは、ホルダ５６が装着位置にあるときは、傾斜カム部１００ｂから離間して時計方向に回動して蓋部材２６を閉位置に駆動しており、ホルダ５６が上記ホルダ駆動機構６０によりＡ方向に移動して装着位置の直前位置に至るまでは垂直壁１００ａに摺接して蓋部材２６を開位置に駆動する。
【００５０】
また、垂直壁１００ａは、ホルダ５６がメディア挿入・排出操作される初期位置で待機しているときは、カム部１０６ｂを時計方向に回動させるように凹んだ凹部１００ｃが設けられている。そして、凹部１００ｃと垂直壁１００ａとの間を連続形成された傾斜カム部１００ｄが設けられている。
【００５１】
すなわち、蓋部材２６は、カム部１０６ｂが傾斜カム部１００ｂ，１００ｄを摺接する過程で開または閉方向に駆動され、カム部１０６ｂが垂直壁１００ａに摺接する間に開位置に保持される。
【００５２】
また、ホルダ５６がメディア挿入・排出操作される初期位置で待機しているときは、カム部１０６ｂが凹部１００ｃに挿入された状態であるので、カム部１０６ｂが時計方向に回動している。しかしながら、記録メディア３６，４６が挿入口２０から挿入されると、蓋部材２６が時計方向に回動し、この動作が開閉アーム１１２を介してクランク部材１０６に伝達されてクランク部材１０６をトーションバネ１０４のバネ力に抗して反時計方向に回動させることが許容される。
【００５３】
よって、蓋部材２６は、開閉機構６２によって開閉駆動されるが、開閉機構６２はホルダ５６の位置に拘らず、閉位置から開方向へ動作することが可能な構成になっている。
【００５４】
ここで、上記のように構成された記録メディア駆動装置１０のメディア装着動作について説明する。
図１１はメディア挿入動作を説明するための平面図である。図１２はメディア挿入動作を説明するための側面図である。尚、図１１では、カバー１４を外して示しており、図１２ではシャーシ１２及びカバー１４を省略して示してある。
【００５５】
図１１及び図１２に示されるように、小さい記録メディア４６が挿入口２０に挿入させると、記録メディア４６の挿入側端部４６ａが蓋部材２６を開方向に押圧してホルダ５６内部に進入する。記録メディア４６は、左右側面のガイド溝５２に側板７５ｂ，７５ｃの内壁に突出するガイド部７５ｄ，７５ｅが嵌合して挿入方向及び高さ位置をガイドされる。
【００５６】
さらに、記録メディア４６がホルダ５６内部をＡ方向に挿入されると、ホルダ５６の天板７４ａに設けられたスライド部材８０，８１の当接部８０ｇ，８１ｇが挿入方向（Ａ方向）に押圧される。尚、ホルダ５６が初期位置にあるとき、スライド部材８０，８１は、夫々トーションバネ８２，８３によって外側（係止解除方向）に付勢されているため、係合部８０ｈ，８１ｈがガイド部材５８，５９のガイド壁５８ａ，５９ａに設けられた切欠５８ｂ，５９ｂ（図１１では天板７４ａに隠れて見えないので、図１６を参照）に嵌合して左右方向に開いた状態にある。
【００５７】
図１３（Ａ）（Ｂ）はスライド部材８０，８１の動作前の状態を示す平面図である。図１４（Ａ）（Ｂ）はスライド部材８０，８１のクランプ動作後の状態を示す平面図である。尚、図１３（Ｂ）、図１４（Ｂ）はホルダ５６及びトーションバネ８２，８３を省略して示してある。
図１３（Ａ）（Ｂ）に示されるように、スライド部材８０，８１は、一対のガイドピン８０ｅ，８０ｆが天板７４ａに形成された傾斜溝７４ｅ，７４ｆ（図４中破線で示す）に嵌合している。そのため、スライド部材８０，８１は、記録メディア４６が挿入方向（Ａ方向）に挿入されるのに伴って、同方向に押圧されると、傾斜溝７４ｅ，７４ｆに沿って内側に移動する。
【００５８】
図１４（Ａ）（Ｂ）に示されるように、スライド部材８０，８１は、挿入方向（Ａ方向）に対して斜め２０度の方向にスライドして左右両側から記録メディア４６の側面に近接する方向に移動することで、係合部８０ｈ，８１ｈがクランプ用凹部５４に係合する。これで、記録メディア４６は、両側からスライド部材８０，８１によって挟持されるようにクランプされ、且つクランプ用凹部５４が係合部８０ｈ，８１ｈによって係止される。そのため、記録メディア４６は、クランプ機構７６，７７のクランプ動作によりホルダ５６に保持された状態となる。
【００５９】
尚、スライド部材８０，８１は、係合部８０ｈ，８１ｈがクランプ用凹部５４に嵌合した状態でガイド部材５８，５９のガイド壁５８ａ，５９ａに摺接する。そのため、スライド部材８０，８１は、夫々トーションバネ８２，８３によって外側（係止解除方向）に付勢されているが、ホルダ５６がクランプ位置から挿入方向に移動して装着位置に至る間は、内側に変位したクランプ状態に保持されている。
【００６０】
図１５はホルダ５６に記録メディア４６が挿入された状態を示す平面図である。
図１５に示されるように、記録メディア４６がホルダ５６に挿入されてスライド部材８０，８１によって両側からクランプされるクランプ位置に挿入されると、スライド部材８０の押圧部８０ｉがメディア挿入検出スイッチ７８の切片に当接してオン状態に切り替える。
【００６１】
そのため、制御回路７２は、後述するようにホルダ駆動機構６０のモータ８６を起動させてホルダ５６をＡ方向に移動させる。モータ８６の回転駆動力は、ウォーム９０、ウォームホイール９１、複数の減速ギヤ９２〜９５、ピニオン９８を介してラック１００に伝達される。そして、ラック１００と一体的に構成されたホルダ５６は、記録メディア４６をクランプした状態のままＡ方向に搬送する。
【００６２】
図１６はホルダ５６及び記録メディア４６が装着位置に到着した状態を示す平面図である。図１７はホルダ検出スイッチ６８及び装着検出スイッチ７０の検出動作を拡大して示す平面図である。
図１６及び図１７に示されるように、ホルダ駆動機構６０の駆動によりホルダ５６が装着位置の直前位置に到着すると、ラック１００の後端部がホルダ検出スイッチ６８の切片を押圧してオンに切り替える。さらに、ホルダ５６が挿入方向に移動して装着位置に至ると、記録メディア４６の挿入側端部４６ａが装着検出スイッチ７０の切片を押圧してオンに切り替える。
【００６３】
これにより、制御回路７２は、ホルダ駆動機構６０のモータ８６の回転を停止させる。このようにホルダ５６が装着位置に到着する過程で記録メディア４６の挿入側端部４６ａに設けられたコネクタ５０が基板６６に設けられたメディア用コネクタ６４に接続される。これにより、記録メディア４６は、メディア用コネクタ６４を介してデータの書き込み、あるいは読み込みが可能になる。
【００６４】
ここで、上記のように装着された記録メディア４６を排出するときのイジェクト動作について説明する。
イジェクト動作は、前面パネル１６のイジェクト釦２２が押圧操作されることで、イジェクトスイッチ７３がオンになると、モータ８６のロータ（図示せず）が装着動作時の逆方向に回転駆動されてホルダ５６が排出方向（Ｂ方向）に移動させられて記録メディア４６を挿入口２０へ排出する。そして、ホルダ５６が初期位置（図１１に示す）に復帰すると共に、スライド部材８０，８１は、夫々トーションバネ８２，８３のバネ力により、係合部８０ｈ，８１ｈがガイド部材５８，５９の切欠５８ｂ，５９ｂ（図１６を参照）に嵌合するクランプ解除位置に変位する。
【００６５】
これで、ホルダ５６に挿入された記録メディア４６をイジェクト方向に引き抜くことが可能になる。
【００６６】
図１８は開閉機構６２の開閉動作を示す図であり、（Ａ）は蓋部材２６を閉じた装着状態を示す側面図、（Ｂ）はイジェクト開始に伴う開動作の過程を示す側面図、（Ｃ）は蓋部材２６を開いた状態を示す側面図、（Ｄ）はホルダ５６が初期位置に復帰した状態を示す側面図、（Ｅ）は記録メディア４６がホルダ５６から引き出される状態を示す側面図、（Ｆ）は記録メディア４６が挿入口２０から引き抜かれた状態を示す側面図である。
【００６７】
図１８（Ａ）に示されるように、ホルダ５６が装着位置にあるとき、蓋部材２６は挿入口２０を閉じており、周囲から塵埃が内部に進入することを防止している。そして、前述したように、イジェクトスイッチ７３がオンに操作されてモータ８６が装着動作時の逆方向に回転駆動されると、ホルダ５６が排出方向（Ｂ方向）に移動する。
【００６８】
図１８（Ｂ）に示されるように、ホルダ５６が装着位置（図１６参照）から排出方向（Ｂ方向）に移動してホルダ５６と一体的に設けられた垂直壁１００ａの傾斜カム部１００ｂがクランク部材１０６のカム部１０６ｂに摺接してクランク部材１０６を反時計方向に回動させる。これにより、クランク部材１０６に連結された開閉アーム１１２がＡ方向に変位して蓋部材２６を開方向に回動させる。
【００６９】
図１８（Ｃ）に示されるように、ホルダ５６が初期位置（図１５参照）に移動すると、垂直壁１００ａの上端がクランク部材１０６のカム部１０６ｂに摺接してクランク部材１０６をさらに反時計方向に回動させる。これにより、クランク部材１０６に連結された開閉アーム１１２がさらにＡ方向に変位して蓋部材２６を全開位置に回動させる。このとき、蓋部材２６は、記録メディア４６が通過する経路より上方に退避した開位置に保持される。
【００７０】
図１８（Ｄ）に示されるように、ホルダ５６が初期位置に到着する直前にスライド部材８０，８１は、トーションバネ８２，８３のバネ力により、係合部８０ｈ，８１ｈがガイド部材５８，５９の切欠５８ｂ，５９ｂ（図１６を参照）に嵌合するクランプ解除位置に変位する。これにより、スライド部材８０，８１の係合部８０ｈ，８１ｈが左右側方に変位することでクランプ用凹部５４から離脱して記録メディア４６に対する係止（クランプ）を解除する。
【００７１】
図１８（Ｅ）に示されるように、ホルダ５６により排出方向に搬送された記録メディア４６は、前述したようにスライド部材８０，８１によるクランプ解除動作により排出方向（Ｂ方向）に押し出されて、挿入口２０から突出した位置に移動する。
【００７２】
このとき、クランク部材１０６のカム部１０６ｂは、垂直壁１００ａ及び傾斜カム部１００ｄを通過して凹部１００ｃの上方にあるが、蓋部材２６が記録メディア４６の上面に摺接して開位置に保持されている。
【００７３】
図１８（Ｆ）に示されるように、挿入口２０から記録メディア４６を引き抜くと、トーションバネ１１０のバネ力によりクランク部材１０６を時計方向に回動させて開閉アーム１１２をＢ方向へ移動させて蓋部材２６を閉方向（反時計方向）へ回動させる。これにより、挿入口２０は、蓋部材２６により閉塞される。
【００７４】
このように、開閉機構６２は、ホルダ５６の移動に連動して蓋部材２６を開方向あるいは閉方向に回動させることで、記録メディア４６の挿入動作あるいは排出動作を妨げないように蓋部材２６を駆動するように構成されている。
【００７５】
ここで、上記記録メディア４６よりも奥行き寸法の大きい記録メディア３６が装着される場合の装着動作について説明する。
図１９は記録メディア３６がホルダ５６に挿入される状態を示す平面図である。図２０は記録メディア３６がホルダ５６内でクランプされた状態を示す平面図である。図２１は記録メディア３６がホルダ５６と共に装着された状態を示す平面図である。
【００７６】
図１９に示されるように、記録メディア３６がホルダ５６に挿入される際、記録メディア３６の挿入側端部３６ａが蓋部材２６を開方向に押圧してホルダ５６内部に進入する。記録メディア３６は、前述した小さい記録メディア４６と同様に左右側面のガイド溝４２に側板７５ｂ，７５ｃの内壁に突出するガイド部７５ｄ，７５ｅが嵌合して挿入方向及び高さ位置をガイドされる。
【００７７】
さらに、記録メディア３６がホルダ５６内部をＡ方向に挿入されると、ホルダ５６の天板７４ａに設けられたスライド部材８０，８１の当接部８０ｇ，８１ｇが挿入方向（Ａ方向）に押圧される。
【００７８】
図２０に示されるように、記録メディア３６がホルダ５６に挿入されてクランプ位置に至ると共に、スライド部材８０，８１が両側から記録メディア３６をクランプする。そして、スライド部材８０の押圧部８０ｉがメディア挿入検出スイッチ７８の切片に当接してオン状態に切り替える。
【００７９】
そのため、制御回路７２は、ホルダ駆動機構６０のモータ８６を起動させてホルダ５６をＡ方向に移動させる。これにより、ホルダ５６は、記録メディア４６をクランプした状態のままＡ方向に搬送する。
【００８０】
図２１に示されるように、ホルダ駆動機構６０の駆動によりホルダ５６が装着位置の直前位置に到着すると、ラック１００の後端部がホルダ検出スイッチ６８の切片を押圧してオンに切り替える。さらに、ホルダ５６が挿入方向に移動して装着位置に至ると、記録メディア３６の挿入側端部３６ａが装着検出スイッチ７０の切片を押圧してオンに切り替える。
【００８１】
これにより、制御回路７２は、ホルダ駆動機構６０のモータ８６の回転を停止させる。このようにホルダ５６が装着位置に到着する過程で記録メディア３６の挿入側端部３６ａに設けられたコネクタ４０が基板６６に設けられたメディア用コネクタ６４に接続される。
【００８２】
このように装着された記録メディア３６は、排出側端部３６ｂが挿入口２０に嵌合されて挿入口２０を閉塞した位置で停止する。従って、奥行き寸法の長い記録メディア３６が装着された場合、蓋部材２６は記録メディア３６の上面に摺接して開位置に保持されている（図１８（Ｅ）参照）。
【００８３】
また、イジェクト動作は、前述した記録メディア４６の場合と同様、モータ８６の逆回転駆動によりホルダ５６を排出方向へ移動させて記録メディア３６を挿入口２０から排出する。
【００８４】
ここで、電源回路のトラブル（例えば、停電、電池容量不足など）でモータ８６を駆動できず、ホルダ５６がイジェクト動作できなくなった場合に手動操作によってホルダ５６を排出方向に移動させるためのエマージェンシー操作について説明する。
図２２はエマージェンシー用工具の構成を示す図であり、（Ａ）は平面図、（Ｂ）は側面図、（Ｃ）は正面図である。
【００８５】
図２２（Ａ）〜（Ｃ）に示されるように、エマージェンシー用工具１２０は、アルミ合金などからなる金属製であり、操作者が把持するグリップ部１２０ａと、グリップ部１２０ａより軸方向に延在する挿入部１２０ｂとから構成されている。
【００８６】
挿入部１２０ｂは、断面形状が前面パネル１６のエマージェンシー用孔２４に対応する形状に形成されており、カバー１４の天板内壁に取り付けられた断面がコ字状のガイドレール７９（図６参照）に係合する第１の鍔部１２０ｃと、第１の鍔部１２０ｃの下側に設けられ、長手方向に延在するガイド溝１２０ｄと、ガイド溝１２０ｄの下方に突出する第２の鍔部１２０ｅと、第２の鍔部１２０ｅより下方に突出すると共に、長手方向に延在するラック１２０ｆとを有する。
【００８７】
ラック１２０ｆは、第１の鍔部１２０ｃがカバー１４の天板内壁に設けられたガイドレール（図示せず）に係合することにより、ホルダ駆動機構６０のピニオン９８に噛合する高さ位置に導かれる。従って、エマージェンシー用工具１２０は、前面パネル１６のエマージェンシー用孔２４から装置内部に挿入されると、ラック１２０ｆをピニオン９８の上側から噛合させることが可能になる。
【００８８】
また、エマージェンシー用工具１２０の挿入部１２０ｂは、挿入側端部１２０ｇが幅狭に形成され、且つ第１の鍔部１２０ｃ及び第２の鍔部１２０ｅの挿入側端部に傾斜部１２０ｈが設けられている。この傾斜部１２０ｈは、ピニオン９８の下側に噛合する減速ギヤ９５を左側方に押圧して噛合を解除する。減速ギヤ９５は、軸１０２の軸方向に摺動可能支持されており、且つコイルバネ１０４により右側方に付勢されて噛合解除機構を構成している。
【００８９】
そのため、エマージェンシー用工具１２０は、挿入方向（Ａ方向）に挿入される過程で傾斜部１２０ｈが減速ギヤ９５をコイルバネ１０４のバネ力に抗して左側方に摺動させてピニオン９８から離間させる。これにより、ピニオン９８及びラック１００を有するホルダ５６は、ホルダ駆動機構６０による規制が無くなり、フリーな状態に切り替わる。
【００９０】
従って、エマージェンシー用工具１２０の挿入操作により減速ギヤ９５が左側方に摺動してピニオン９８との噛合関係を解除された後、さらにエマージェンシー用工具１２０が挿入されることによりラック１２０ｆがピニオン９８に噛合するため、ホルダ５６を排出方向へ移動させることが可能になる。
【００９１】
ここで、上記エマージェンシー用工具１２０を用いて装着位置で動作不能になったホルダ５６を手動操作により排出方向に移動させる操作方法及びイジェクト動作について図２３乃至図２６を併せ参照して説明する。
図２３はエマージェンシー用工具１２０を前面パネル１６のエマージェンシー用孔２４から挿入した状態を示す図であり、（Ａ）は平面図、（Ｂ）は側面図である。図２４はエマージェンシー用工具１２０の挿入によりホルダ５６が排出方向に移動する動作過程を示す図であり、（Ａ）は平面図、（Ｂ）は側面図である。図２５はエマージェンシー用工具１２０の挿入によりホルダ５６が初期位置に復帰した状態を示す図であり、（Ａ）は平面図、（Ｂ）は側面図である。図２６（Ａ）〜（Ｅ）はエマージェンシー用工具１２０の挿入・引き抜きに伴う減速ギヤ９５の噛合解除動作及びホルダ５６の移動方向を示す平面図である。
【００９２】
図２３（Ａ）（Ｂ）及び図２６（Ａ）（Ｂ）に示されるように、エマージェンシー用工具１２０の挿入部１２０ｂを前面パネル１６のエマージェンシー用孔２４から挿入すると、挿入部１２０ｂの第１の鍔部１２０ｃがカバー１４の天板内壁に設けられたガイドレール７９（図６参照）に係合して挿入位置をガイドされる。
【００９３】
これと共に、挿入部１２０ｂの端部に設けられた傾斜部１２０ｈが減速ギヤ９５に摺接して減速ギヤ９５を左側方（Ｃ方向）に摺動させる。その結果、減速ギヤ９５は、ピニオン９８から離間してピニオン９８との噛合を解除される。
【００９４】
そのため、ホルダ駆動機構６０の減速ギヤ群９６による駆動経路は分断され、ホルダ５６に対するホルダ駆動機構６０による規制が解除される。
【００９５】
図２４（Ａ）（Ｂ）及び図２６（Ｃ）に示されるように、さらに、エマージェンシー用工具１２０がＡ方向に挿入されると、挿入部１２０ｂのラック１２０ｆがピニオン９８に噛合してピニオン９８を反時計方向に回転させる。これにより、ピニオン９８は、ホルダ５６の左側面に設けられたラック１００を排出方向（Ｂ方向）へ移動させる。
【００９６】
また、ホルダ５６が装着位置から排出方向に移動すると共に、記録メディア４６の挿入側端部４６ａに設けられたコネクタ５０が基板６６に設けられたメディア用コネクタ６４から離間する。
【００９７】
さらに、ホルダ５６が装着位置から排出方向に移動するのに連動して前述した開閉機構６２により蓋部材２６が開方向に回動する（図１８（Ｂ）〜（Ｅ）参照）。
【００９８】
図２５（Ａ）（Ｂ）及び図２６（Ｄ）に示されるように、さらに、エマージェンシー用工具１２０がＡ方向に挿入されると、ホルダ５６は初期位置に復帰し、記録メディア４６の排出側端部が挿入口２０から突出する。
【００９９】
これと共に、前述したクランプ機構７６，７７のスライド部材８０，８１が左右方向に開いた開放状態に動作してクランプ機構７６，７７によるクランプが解除される。これで、記録メディア４６をホルダ５６から取り出すことが可能になる。
【０１００】
この後、操作者は、図２６（Ｅ）に示されるように、エマージェンシー用工具１２０をＢ方向に引き抜く。エマージェンシー用工具１２０がＢ方向に引き抜かれると、ピニオン９８が時計方向に回転する。これにより、ホルダ５６は、上記と逆方向（Ａ方向）に移動して再び装着位置に戻る。また、減速ギヤ９５は、エマージェンシー用工具１２０がＢ方向に引き抜かれると共に、コイルバネ１０４のバネ力によりＤ方向にスライドしてピニオン９８に噛合する。
【０１０１】
このように、エマージェンシー用工具１２０を用いた手動操作により比較的簡単にホルダ５６をイジェクト動作させることが可能になると共に、装置内部に複数のレバーを配置する必要がなく、装置の小型化及び省スペース化にも対応することが可能になる。
【０１０２】
そして、制御回路７２は、エマージェンシー用工具１２０を用いた手動操作によりホルダ５６をイジェクト動作させた場合、電源回路のトラブル（例えば、停電、電池容量不足など）が解消された後、ホルダ５６を初期位置に復帰させる制御処理を実行する。
【０１０３】
図２７は制御回路７２がエマージェンシー操作後に実行する制御処理を説明するためのフローチャートである。尚、制御処理７２は、予め設定された所定時間間隔で図２７に示す処理を実行する。
図２７に示されるように、制御回路７２は、ステップＳ３１（以下「ステップ」を省略する）において、ホルダ検出スイッチ６８がオンかどうかをチェックする。Ｓ３１でホルダ検出スイッチ６８がオフであるときは、ホルダ５６が装着位置に存在しないので、今回の処理を終了する。
【０１０４】
また、Ｓ３１でホルダ検出スイッチ６８がオンであるときは、ホルダ５６が装着位置に存在しているものと判断してＳ３２に進み、装着検出スイッチ７０がオフになったかどうかをチェックする。Ｓ３２において、装着検出スイッチ７０がオンであるときは、記録メディア３６，４６が装着されているので、今回の処理を終了する。
【０１０５】
また、上記Ｓ３２において、装着検出スイッチ７０がオフであるときは、ホルダ５６が記録メディア３６，４６が挿入されていない状態で装着位置に移動しているため、Ｓ３３に進み、モータ８６への逆極性の通電を開始してモータ８６を装着動作時の逆方向に回転駆動する。続いて、Ｓ３４に進み、モータ８６への印加電圧を低くしてモータ８６の回転数を低速回転に設定する。
【０１０６】
モータ８６の逆回転駆動力は、ウォーム９０、ウォームホイール９１、複数の減速ギヤ９２〜９５、ピニオン９８を介してラック１００に伝達される。そして、ラック１００を有するホルダ５６は、記録メディア３６，４６をクランプした状態のまま排出方向へ低速移動する。
【０１０７】
次のＳ３５では、ホルダ検出スイッチ６８がオフかどうかをチェックする。ホルダ検出スイッチ６８は、ホルダ駆動機構６０により装着位置のホルダ５６が排出方向に移動開始すると、ラック１００の後端部が離間してオフに切り替わる。そのため、３５おいて、ホルダ検出スイッチ６８がオフになると、ホルダ５６が装着位置から排出方向に移動して記録メディア３６，４６のコネクタ４０，５０がメディア用コネクタ６４から分離したものと判断する。そして、Ｓ３６に進み、モータ８６への印加電圧を高くしてモータ８６の回転数を高速回転に切り替える。
【０１０８】
これにより、ホルダ５６のイジェクト速度は、高速に切り替わる。次のＳ３７では、予め設定された所定時間が経過したかどうかをチェックする。ホルダ５６は所定時間が経過する間に初期位置に移動する。上記Ｓ３７において、所定時間が経過すると、Ｓ３８に進み、モータ８６への通電をオフにしてモータ８６の回転駆動を停止させる。
【０１０９】
これで、エマージェンシー用工具１２０を用いた手動操作により記録メディア３６，４６を取り出した場合、ホルダ５６を初期位置へ自動的に戻すことが可能になる。また、図２７のフローチャートにおいて、ホルダ検出スイッチ６８がオンで、且つ装着検出スイッチ７０がオフであるときは、モータ８６を装着動作時の逆方向に回転駆動してホルダ５６を初期位置に移動させる場合について説明したが、これに限らず、例えば、記録メディア３６，４６が挿入されていないホルダ５６が初期位置にいない場合には、モータ８６の駆動によりホルダ５６を初期位置に移動させるようにしても良い。
【０１１０】
尚、上記実施の形態では、エマージェンシー用工具１２０を用いた手動操作により第２の記録メディア４６を取り出す場合を説明したが、第１の記録メディア３６を装着して電源回路のトラブル（例えば、停電、電池容量不足など）によりモータ８６が駆動できなくなった場合も上記と同様に手動操作で取り出すことができるのは勿論である。
【０１１１】
また、上記実施の形態では、記録メディア３６，４６が装着される記録メディア駆動装置を一例として挙げたが、これに限らず、上記以外の形状とされた記録媒体が装着される装置にも本発明を適用できるのは勿論である。
【０１１２】
【発明の効果】
上述の如く、請求項１記載の発明によれば、前面パネルの伝達機構に対向する位置にホルダ駆動モータが駆動できなくなった場合に使用されるエマージェンシー用工具の形状に対応した開口を設け、開口から挿入されたエマージェンシー用工具の挿入側端部に当接して伝達機構による伝達経路を分離させる伝達経路解除機構を設けたため、装置内部に複数のレバーを配置する必要がなく、装置の小型化及び省スペース化にも対応することができる。
【０１１３】
上記請求項２記載の発明によれば、伝達経路解除機構が、伝達機構を構成する複数のギヤのうち一のギヤを軸方向に移動可能に設け、エマージェンシー用工具の挿入側端部に押圧されてギヤが噛合解除位置へ移動するため、装置内部に複数のレバーを配置する必要がなく、装置の小型化及び省スペース化にも対応することができる。
【０１１４】
上記請求項３記載の発明によれば、ホルダが伝達機構により駆動されるラックを有し、エマージェンシー用工具の挿入操作によりラックに噛合する伝達機構のホルダ駆動ギヤが回転されて排出方向に移動するため、装置内部に複数のレバーを配置する必要がなく、装置の小型化及び省スペース化にも対応することができる。
【０１１５】
上記請求項４記載の発明によれば、ホルダが、エマージェンシー用工具の挿入操作により排出方向に移動し、エマージェンシー用工具の引き抜き操作に連動して装着方向に移動するため、比較的簡単な操作でホルダを手動で移動させることが可能になると共に、装置内部に複数のレバーを配置する必要がなく、装置の小型化及び省スペース化にも対応することができる。
【０１１６】
上記請求項５記載の発明によれば、請求項１記載の記録メディア駆動装置であって、ホルダが初期位置にいないことを検出するホルダ検出手段と、記録メディアが装着位置にあることを検出するメディア装着検出手段と、ホルダ検出手段によりホルダが初期位置にいないことが検出され、且つメディア装着検出手段により記録メディアが検出されなかった場合、ホルダ駆動モータを回転駆動させてホルダを初期位置に復帰させる制御手段と、を備えたものであり、エマージェンシー用工具の引き抜き操作に連動して装着方向に移動したホルダを自動的に初期位置に戻すことができ、エマージェンシー用工具による記録メディアの取り出し操作が可能になる。そのため、装置内部に複数のレバーを配置する必要がなく、装置の小型化及び省スペース化にも対応しうる。
【図面の簡単な説明】
【図１】本発明になる記録メディア駆動装置の一実施例を示す図であり、（Ａ）は正面図、（Ｂ）は平面図、（Ｃ）は背面図、（Ｄ）は左側面図、（Ｅ）は右側面図である。
【図２】２．５インチディスクの記録メディアの一例を示す図であり、（Ａ）は平面図、（Ｂ）は正面図、（Ｃ）は側面図である。
【図３】１．８インチディスクの記録メディアの一例を示す図であり、（Ａ）は平面図、（Ｂ）は正面図、（Ｃ）は側面図である。
【図４】カバー１４を外した状態を示す平面図である。
【図５】（Ａ）は前面パネル１６を内側からみた背面図、（Ｂ）は蓋部材２６の開閉動作を示す側面図である。
【図６】前面パネル１６を外したシャーシ１２の内部構造を示す縦断面図である。
【図７】ホルダ５６の左側に配置されたスライド部材８０の構成を示す図であり、（Ａ）は正面図、（Ｂ）は平面図、（Ｃ）は背面図、（Ｄ）は側面図、（Ｅ）は底面図である。
【図８】ホルダ駆動機構６０を部分的に拡大して示す平面図である。
【図９】ホルダ駆動機構６０を左側からみた側面図である。
【図１０】開閉機構６２を側方からみた側面図である。
【図１１】メディア挿入動作を説明するための平面図である。
【図１２】メディア挿入動作を説明するための側面図である。
【図１３】スライド部材８０，８１の動作前の状態を示す平面図である。
【図１４】スライド部材８０，８１のクランプ動作後の状態を示す平面図である。
【図１５】ホルダ５６に記録メディア４６が挿入された状態を示す平面図である。
【図１６】ホルダ５６及び記録メディア４６が装着位置に到着した状態を示す平面図である。
【図１７】ホルダ検出スイッチ６８及び装着検出スイッチ７０の検出動作を拡大して示す平面図である。
【図１８】開閉機構６２の開閉動作を示す図であり、（Ａ）は蓋部材２６を閉じた装着状態を示す側面図、（Ｂ）はイジェクト開始に伴う開動作の過程を示す側面図、（Ｃ）は蓋部材２６を開いた状態を示す側面図、（Ｄ）はホルダ５６が初期位置に復帰した状態を示す側面図、（Ｅ）は記録メディア４６がホルダ５６から引き出される状態を示す側面図、（Ｆ）は記録メディア４６が挿入口２０から引き抜かれた状態を示す側面図である。
【図１９】記録メディア３６がホルダ５６に挿入される状態を示す平面図である。
【図２０】記録メディア３６がホルダ５６内でクランプされた状態を示す平面図である。
【図２１】記録メディア３６がホルダ５６と共に装着された状態を示す平面図である。
【図２２】エマージェンシー用工具の構成を示す図であり、（Ａ）は平面図、（Ｂ）は側面図、（Ｃ）は正面図である。
【図２３】エマージェンシー用工具１２０を前面パネル１６のエマージェンシー用孔２４から挿入した状態を示す図であり、（Ａ）は平面図、（Ｂ）は側面図である。
【図２４】エマージェンシー用工具１２０の挿入によりホルダ５６が排出方向に移動する動作過程を示す図であり、（Ａ）は平面図、（Ｂ）は側面図である。
【図２５】エマージェンシー用工具１２０の挿入によりホルダ５６が初期位置に復帰した状態を示す図であり、（Ａ）は平面図、（Ｂ）は側面図である。
【図２６】エマージェンシー用工具１２０の挿入・引き抜きに伴う減速ギヤ９５の噛合解除動作及びホルダ５６の移動方向を示す平面図である。
【図２７】制御回路７２がエマージェンシー操作後に実行する制御処理を説明するためのフローチャートである。
【符号の説明】
１０  記録メディア駆動装置
１２  シャーシ
１４  カバー
１６  前面パネル
１８  後部パネル
２０  挿入口
２２  イジェクト釦
２６  蓋部材
３６  第１の記録メディア
４６  第２の記録メディア
３８，４８  カートリッジ
４０，５０  コネクタ
４２，５２  ガイド溝
４４，５４  クランプ用凹部
５６  ホルダ
５８，５９  ガイド部材
６０  ホルダ駆動機構
６２  開閉機構
６４  メディア用コネクタ
６６  基板
６８  ホルダ検出スイッチ
７０  装着検出スイッチ
７２  制御回路
７４，７５  摺動部材
７６，７７  クランプ機構
７８  メディア挿入検出スイッチ
８０，８１  スライド部材
８６  モータ
８８  伝達機構
９６  減速ギヤ群
９８  ピニオン
１００  ラック
１０６  クランク部材
１１０  トーションバネ
１１２  開閉アーム
１２０  エマージェンシー用工具
１２０ａ  グリップ部
１２０ｂ  挿入部
１２０ｃ  第１の鍔部
１２０ｄ  ガイド溝
１２０ｅ  第２の鍔部
１２０ｆ  ラック
１２０ｇ  挿入側端部
１２０ｈ  傾斜部
【図１】
2004348812.tif 000003
【図２】
2004348812.tif 000004
【図３】
2004348812.tif 000005
【図４】
2004348812.tif 000006
【図５】
2004348812.tif 000007
【図６】
2004348812.tif 000008
【図７】
2004348812.tif 000009
【図８】
2004348812.tif 000010
【図９】
2004348812.tif 000011
【図１０】
2004348812.tif 000012
【図１１】
2004348812.tif 000013
【図１２】
2004348812.tif 000014
【図１３】
2004348812.tif 000015
【図１４】
2004348812.tif 000016
【図１５】
2004348812.tif 000017
【図１６】
2004348812.tif 000018
【図１７】
2004348812.tif 000019
【図１８】
2004348812.tif 000020
【図１９】
2004348812.tif 000021
【図２０】
2004348812.tif 000022
【図２１】
2004348812.tif 000023
【図２２】
2004348812.tif 000024
【図２３】
2004348812.tif 000025
【図２４】
2004348812.tif 000026
【図２５】
2004348812.tif 000027
【図２６】
2004348812.tif 000028
【図２７】
2004348812.tif 000029